(57)【要約】    【課題】      巻取り軸１６ないしリワインドコア１７の回転と用紙ガイド１８の動きとを巻取り軸１６の回転方向において分離可能として、印字用紙の巻き取り時に操作者の手や指に用紙ガイド１８が当たっても危険性がないようにした印字用紙巻取り装置を提供すること。    【解決手段】  リワインドコア１７および用紙ガイド１８が互いに自由回転するようにして、用紙ガイド１８と操作者との接触があっても危険性がないようにすることに着目したもので、帯状の印字用紙をロール状に巻取り可能なリワインドコア１７の少なくとも一端部に位置して印字用紙をガイドする用紙ガイド１８を有し、印字済みの印字用紙をリワインドコア１７に巻き取るもので、リワインドカラー２１の固定支持部２２と用紙ガイド１８の中心孔２４との間に第１の間隙Ｓ１を設け、用紙ガイド１８を巻取り軸１６に対してその回転方向に自由回転可能としたことを特徴とする。【選択図】        図１
2006143377.tif 000002
【特許請求の範囲】
【請求項１】
帯状の印字用紙をロール状に巻取り可能なリワインドコアと、
このリワインドコアを回転駆動するための巻取り軸と、
このリワインドコアの少なくとも一端部に位置して前記印字用紙をガイドする用紙ガイドと、を有し、
印字済みの前記印字用紙を前記リワインドコアに巻き取るための印字用紙巻取り装置であって、
前記用紙ガイドを前記巻取り軸に対してその回転方向に自由回転可能としたことを特徴とする印字用紙巻取り装置。
【請求項２】
前記用紙ガイドを前記巻取り軸に対してその軸方向に固定したことを特徴とする請求項１記載の印字用紙巻取り装置。
【請求項３】
前記用紙ガイドと前記リワインドコアとの間にリワインドカラーを設けたことを特徴とする請求項１記載の印字用紙巻取り装置。
【請求項４】
前記用紙ガイドと前記リワインドカラーとの間において前記用紙ガイドを自由回転可能としたことを特徴とする請求項３記載の印字用紙巻取り装置。
【請求項５】
前記リワインドカラーを前記巻取り軸に対してその回転方向に自由回転可能としたことを特徴とする請求項３記載の印字用紙巻取り装置。
【請求項６】
帯状の印字用紙をロール状に巻取り可能なリワインドコアと、
このリワインドコアを回転駆動するための巻取り軸と、
このリワインドコアの少なくとも一端部に位置して前記印字用紙をガイドする用紙ガイドと、を有し、
印字済みの前記印字用紙を前記リワインドコアに巻き取るための印字用紙巻取り装置であって、
前記用紙ガイドと前記リワインドコアとの間にリワインドカラーを設けるとともに、
このリワインドカラーを前記巻取り軸に対してその回転方向に自由回転可能としたことを特徴とする印字用紙巻取り装置。
【請求項７】
前記リワインドカラーは、
前記巻取り軸に固定するとともに前記用紙ガイドを自由回転可能に支持する固定支持部と、
前記用紙ガイドを前記リワインドコアの軸方向に固定するためのフランジ部と、を有することを特徴とする請求項３あるいは６記載の印字用紙巻取り装置。
【請求項８】
前記巻取り軸の近傍に、前記印字用紙の巻取り操作用の操作部を配設してあることを特徴とする請求項１あるいは６記載の印字用紙巻取り装置。
【発明の詳細な説明】
【技術分野】
【０００１】
本発明は印字用紙巻取り装置にかかるもので、とくに印字用紙に印字を行うプリンターとは独立して設けられた印字用紙巻取り装置に関するものである。
【背景技術】
【０００２】
従来の印字用紙巻取り装置について、図３および図４にもとづき概説する。
図３は、プリンター１およびこのプリンター１に接続した印字用紙巻取り装置２の概略側面図であって、プリンター１は、ラベルあるいはタグなど印字用紙３の供給部４と、印字用紙３に印字を行う印字部５と、印字された印字用紙３を印字用紙巻取り装置２に巻き取ったのちその終端部を切断する切断部６と、を有する。
印字用紙巻取り装置２は、装置本体７と、印字済みの印字用紙３を印字用紙巻取り装置２内に案内導入する第１の固定ガイドローラー８と、印字用紙３の巻取り状態に応じて図示の矢印のように円弧状ガイド溝９に沿って円弧状に上下往復動可能なテンションローラー１０と、テンションローラー１０からの印字用紙３を案内する第２の固定ガイドローラー１１と、印字用紙３をロール状に巻き取る巻取り部１２と、印字用紙巻取り装置２の操作を行うための操作部１３と、オンオフスイッチ１４と、を有する。
【０００３】
図４は、巻取り部１２および操作部１３の側面図であって、巻取り部１２は、駆動モーター１５と、駆動モーター１５により回転駆動する巻取り軸１６と、巻取り軸１６と一体回転して印字用紙３をここにロール状に巻き取るためのリワインドコア１７と、リワインドコア１７の少なくとも一端部に設けて印字用紙３を案内するプレート状の用紙ガイド１８と、を有する。
用紙ガイド１８は、取付けネジ１９を用いてリワインドコア１７にこれを固定して取り付けてある。なお、用紙ガイド１８は、リワインドコア１７の両側端部にこれを設けることも可能であるが、図４においては、操作部１３側の一端部側にのみこれを図示している。
【０００４】
操作部１３は、巻取り部１２の近傍にこれを設けることにより、操作部１３における操作と、その駆動部（巻取り軸１６、リワインドコア１７および用紙ガイド１８など）の動作を確認しやすくしている。
【０００５】
こうした構成のプリンター１および印字用紙巻取り装置２において、プリンター１により印字された印字用紙３は、印字用紙巻取り装置２において第１の固定ガイドローラー８、テンションローラー１０および第２の固定ガイドローラー１１に案内されたのち、巻取り部１２にロール状に巻き取られる。
印字用紙巻取り装置２では、オンオフスイッチ１４による電源投入に続いて、操作部１３による操作を行う際に、操作者の手や指が巻取り部１２の用紙ガイド１８に接触する可能性があり、とくに操作部１３による操作オンとともにリワインドコア１７および用紙ガイド１８が回転を開始するような場合には、操作者が危険を感ずる可能性があるという問題がある。
【０００６】
とくに、巻取り部１２における印字用紙３の巻取りの進行にともなってテンションローラー１０が円弧状ガイド溝９の上方部に位置すると巻取り操作が停止し、また、プリンター１の印字部５における印字用紙３の印字の進行にともなってテンションローラー１０が円弧状ガイド溝９の下方部に位置すると巻取り操作が再開されるように制御される場合、すなわち、テンションローラー１０の円弧状ガイド溝９における位置に応じて巻取り部１２における巻取り操作のオンオフが行われるように制御される場合には、このオンオフにともなって用紙ガイド１８の回転が停止および再開されることになり、操作者にとって不意に用紙ガイド１８の回転が再開されることになるという問題がある。
【０００７】
なお、こうした問題は、プリンター１と印字用紙巻取り装置２とが互いに独立に配置されている場合はもちろん、プリンター１に印字用紙巻取り装置２が組み込まれている場合にも発生する可能性がある問題である。
【０００８】
【特許文献１】特開２００３−２６３５７号公報
【発明の開示】
【発明が解決しようとする課題】
【０００９】
本発明は以上のような諸問題にかんがみなされたもので、印字用紙の巻き取りにあたって、操作者の手や指に用紙ガイドが当たっても危険性がないようにした印字用紙巻取り装置を提供することを課題とする。
【００１０】
また本発明は、巻取り部が急に回転を開始するような場合にも危険性を回避した印字用紙巻取り装置を提供することを課題とする。
【００１１】
また本発明は、巻取り軸ないしリワインドコアの回転と用紙ガイドの動きとを巻取り軸の回転方向において分離可能とした印字用紙巻取り装置を提供することを課題とする。
【００１２】
また本発明は、リワインドコアと用紙ガイドとの間に設けたリワインドカラーを巻取り軸の回転方向において巻取り軸から分離可能とした印字用紙巻取り装置を提供することを課題とする。
【課題を解決するための手段】
【００１３】
すなわち本発明は、リワインドコアおよび用紙ガイドが互いに自由回転するようにして、用紙ガイドと操作者との接触があっても危険性がないようにすること、また、用紙ガイドとリワインドコアとの間に設けたリワインドカラーが巻取り軸に対して自由回転するようにすることに着目したもので、第一の発明は、帯状の印字用紙をロール状に巻取り可能なリワインドコアと、このリワインドコアを回転駆動するための巻取り軸と、このリワインドコアの少なくとも一端部に位置して上記印字用紙をガイドする用紙ガイドと、を有し、印字済みの上記印字用紙を上記リワインドコアに巻き取るための印字用紙巻取り装置であって、上記用紙ガイドを上記巻取り軸に対してその回転方向に自由回転可能としたことを特徴とする印字用紙巻取り装置である。
【００１４】
上記用紙ガイドを上記巻取り軸に対してその軸方向に固定することができる。
【００１５】
上記用紙ガイドと上記リワインドコアとの間にリワインドカラーを設けることができる。
【００１６】
上記用紙ガイドと上記リワインドカラーとの間において上記用紙ガイドを自由回転可能とすることができる。
【００１７】
上記リワインドカラーを上記巻取り軸に対してその回転方向に自由回転可能とすることができる。
【００１８】
第二の発明は、帯状の印字用紙をロール状に巻取り可能なリワインドコアと、このリワインドコアを回転駆動するための巻取り軸と、このリワインドコアの少なくとも一端部に位置して上記印字用紙をガイドする用紙ガイドと、を有し、印字済みの上記印字用紙を上記リワインドコアに巻き取るための印字用紙巻取り装置であって、上記用紙ガイドと上記リワインドコアとの間にリワインドカラーを設けるとともに、このリワインドカラーを上記巻取り軸に対してその回転方向に自由回転可能としたことを特徴とする印字用紙巻取り装置である。
【００１９】
上記リワインドカラーは、上記巻取り軸に固定するとともに上記用紙ガイドを自由回転可能に支持する固定支持部と、上記用紙ガイドを上記リワインドコアの軸方向に固定するためのフランジ部と、を有することができる。
【００２０】
上記巻取り軸の近傍に、上記印字用紙の巻取り操作用の操作部を配設してあることができる。
【発明の効果】
【００２１】
本発明による印字用紙巻取り装置においては、巻取り軸による回転運動を用紙ガイドに伝達しないようにしたので、巻取り操作中に用紙ガイドと操作者との接触があっても危険性がないようにすることができる。
【００２２】
とくに第一の発明によれば、リワインドコアおよび用紙ガイドが互いに自由回転するようにしたので、簡単な構成で安全性を確保することができる。
【００２３】
とくに第二の発明によれば、リワインドコアおよび用紙ガイドの間に設けたリワインドカラーが巻取り軸に対して自由回転するようにしたので、用紙ガイドの回転方向および軸方向の安定性を保持した上で安全性を確保することができる。
【発明を実施するための最良の形態】
【００２４】
本発明は、用紙ガイドを自由回転可能として巻取り軸による回転運動を用紙ガイドに伝達しないようにしたので、巻取り操作中に用紙ガイドと操作者との接触があっても危険性がないようにすることができる印字用紙巻取り装置を実現した。
【実施例】
【００２５】
つぎに本発明の第１の実施例（第一の発明）による印字用紙巻取り装置２０を図１にもとづき説明する。ただし、図３および図４と同様の部分には同一符号を付し、その詳述はこれを省略する。
図１は、印字用紙巻取り装置２０の要部断面図であって、印字用紙巻取り装置２０は、前記巻取り部１２と同様に、前記駆動モーター１５、巻取り軸１６、リワインドコア１７および用紙ガイド１８を有する。
ただし、リワインドコア１７と用紙ガイド１８との間は前記取付けネジ１９（図４）による固定ではなく、巻取り軸１６に固定したリワインドカラー２１を設け、このリワインドカラー２１を介して巻取り軸１６ないしリワインドコア１７に対して用紙ガイド１８を自由回転可能としているとともに、用紙ガイド１８を軸方向に固定している。
【００２６】
すなわちリワインドカラー２１は、巻取り軸１６に固定するとともに用紙ガイド１８を支持する固定支持部２２と、用紙ガイド１８を軸方向に固定するためのガイド当接用のフランジ部２３と、を有している。
固定支持部２２と用紙ガイド１８の中心孔２４との間にわずかな第１の間隙Ｓ１を設けることにより、用紙ガイド１８が巻取り軸１６ないしリワインドコア１７の回転方向に対して自由回転可能としているとともに、フランジ部２３により巻取り軸１６ないしリワインドコア１７の軸方向には用紙ガイド１８を固定している。
【００２７】
こうした構成の印字用紙巻取り装置２０において、駆動モーター１５の駆動により、巻取り軸１６、リワインドコア１７およびリワインドカラー２１が回転動作を行っても、リワインドカラー２１の固定支持部２２と用紙ガイド１８との間の第１の間隙Ｓ１により、用紙ガイド１８は、固定支持部２２との間の摩擦によりわずかに追随して回転することはできるが、操作者の手あるいは指などが当たっても、巻取り軸１６の回転駆動力を操作者に伝達することはなく安全である。
【００２８】
図２は、本発明の第２の実施例（第二の発明）による印字用紙巻取り装置３０の要部拡大断面図であって、印字用紙巻取り装置３０においては、上記リワインドカラー２１の固定支持部２２の内壁面と巻取り軸１６との間にベアリング３１を設けることにより、巻取り軸１６に対してリワインドカラー２１を自由回転可能としてある。
さらに、リワインドカラー２１の固定支持部２２の外壁面に環状切欠き部３２を形成して、リワインドコア１７との間にわずかな第２の間隙Ｓ２を設けることにより、リワインドカラー２１自体がリワインドコア１７に対しても自由回転可能となっているとともに、フランジ部２３により用紙ガイド１８を軸方向に固定している。
【００２９】
なお図中仮想線に示すように、図１の印字用紙巻取り装置２０と同様に、リワインドカラー２１の固定支持部２２と用紙ガイド１８の中心孔２４との間にわずかな第１の間隙Ｓ１を設け、用紙ガイド１８がリワインドカラー２１に対して自由回転するようにすることもできる。
また、ベアリング３１の代わりに、リワインドカラー２１の固定支持部２２の中心孔における内壁面と巻取り軸１６との間に、わずかな間隙を設けることにより、リワインドカラー２１を巻取り軸１６の回転方向に自由回転可能とすることもできる。
【００３０】
こうした構成の印字用紙巻取り装置３０において、巻取り軸１６による回転動作によっても、巻取り軸１６とリワインドカラー２１との間のベアリング３１により、さらにリワインドコア１７とリワインドカラー２１との間の第２の間隙Ｓ２により、リワインドカラー２１が巻取り軸１６およびリワインドコア１７に対して自由回転し、操作者の手あるいは指などが用紙ガイド１８に当たっても、巻取り軸１６の回転駆動力はリワインドコア１７までであり、これを操作者に伝達することはなく安全である。
なお、リワインドカラー２１の固定支持部２２と用紙ガイド１８との間の第１の間隙Ｓ１を設ければ、用紙ガイド１８は、用紙ガイド１８と固定支持部２２との間、およびリワインドカラー２１と巻取り軸１６との間における二段構えの自由回転機構により、さらに自由回転部位を増やし、安全性を向上させることができる。
【産業上の利用可能性】
【００３１】
以上の説明では、プリンターから独立した印字用紙巻取り装置について説明したが、本発明は、プリンターの本体内に組み込まれた印字用紙巻取り装置にもこれを適用することもできる。
【図面の簡単な説明】
【００３２】
【図１】本発明の第１の実施例（第一の発明）による印字用紙巻取り装置２０の要部断面図である。
【図２】本発明の第２の実施例（第二の発明）による印字用紙巻取り装置３０の要部拡大断面図である。
【図３】従来のプリンター１およびこのプリンター１に接続した印字用紙巻取り装置２の概略側面図である。
【図４】同、巻取り部１２および操作部１３の側面図である。
【符号の説明】
【００３３】
１  プリンター（図３）
２  印字用紙巻取り装置（図３、図４）
３  印字用紙
４  供給部
５  印字部
６  切断部
７  印字用紙巻取り装置２の装置本体
８  第１の固定ガイドローラー
９  円弧状ガイド溝
１０  テンションローラー
１１  第２の固定ガイドローラー
１２  巻取り部
１３  操作部
１４  オンオフスイッチ
１５  駆動モーター
１６  巻取り軸
１７  リワインドコア
１８  用紙ガイド
１９  取付けネジ
２０  印字用紙巻取り装置（第１の実施例、第一の発明、図１）
２１  リワインドカラー
２２  リワインドカラー２１の固定支持部
２３  リワインドカラー２１のフランジ部
２４  用紙ガイド１８の中心孔
３０  印字用紙巻取り装置３０（第２の実施例、第二の発明、図２）
３１  ベアリング３１
３２  リワインドカラー２１の固定支持部２２の外壁面に形成した環状切欠き部
Ｓ１  リワインドカラー２１の固定支持部２２と用紙ガイド１８の中心孔２４との間の第１の間隙（図１、図２）
Ｓ２  リワインドカラー２１の固定支持部２２の外壁面とリワインドコア１７との間の第２の間隙（図２）
【図１】
2006143377.tif 000003
【図２】
2006143377.tif 000004
【図３】
2006143377.tif 000005
【図４】
2006143377.tif 000006